(57)【要約】      （修正有）【課題】量子波による物質の変性を容易に行える物質の変性装置を提供する。【解決手段】生花５２、野菜５４、魚５５などの物質に量子波５０を照射して変性させるにあたって、量子波発生源１が物質に直接に照射を行うのではなく、量子波放射体２が、物質を特定できるデジタル写真を表示した液晶画面３２に量子波２０を照射し、液晶の微粒子に作用して発生した多くの量子波３０を、実際の物質へは、量子テレポーテーション現象６を利用して照射する。また、量子波発生器１２からの量子波１０を、第１の放射体１１から量子波放射体２へ、量子テレポーテーション現象７によって伝搬する。したがって、スマートフォン３で撮影して量子波放射体２に載せるだけと言う極めて簡単な作業で、また物質の付近に大掛かりな照射器を設置する必要はなく、物質の変性を行うことができる。【選択図】図１
0003205199.tif 000002
【実用新案登録請求の範囲】
【請求項１】
性質を変化させるべき物質のデジタル画像を取得する画像取得手段と、
前記画像取得手段で取得されたデジタル画像を表示する液晶画面と、
量子波を発生する量子波発生源と、
前記液晶画面を載置し、前記量子波発生源で発生された量子波を前記液晶画面に照射する量子波放射体とを備え、
前記液晶画面に照射された量子波が、量子テレポーテーション現象によって前記物質に作用することで、該物質を変性させることを特徴とする物質の変性装置。
【請求項２】
前記量子波発生源および量子波放射体は、相互に等しい材料から成る金属導体を含み、前記量子波発生源は、前記量子波放射体に対して、初期に接触または近傍に配置されることで、互いに意識を共有する同化現象を生じており、離間すると、前記量子テレポーテーション現象によって、該量子波放射体から量子波を発生させて、前記液晶画面への量子波の照射を実現させることを特徴とする請求項１記載の物質の変性装置。
【請求項３】
前記量子波放射体は、金属導体から成り、前記量子波発生源は、前記量子波放射体に対して、５０〜６０Ｈｚ、３０００〜９０００Ｖの負の高電圧を与えることで、量子波を発生させることを特徴とする請求項１または２記載の物質の変性装置。
【請求項４】
前記量子波放射体は、金属導体から成り、前記量子波発生源は、前記量子波放射体に対して、２〜２０００Ｈｚ、２４〜４８Ｖの負の低周波電位振動を与えることで、量子波を発生させることを特徴とする請求項１または２記載の物質の変性装置。
【請求項５】
前記画像取得手段は、スマートフォンのデジタルカメラであり、前記液晶画面は、該スマートフォンに備えられていることを特徴とする請求項１〜４の何れか１項に記載の物質の変性装置。
【考案の詳細な説明】
【技術分野】
【０００１】
本考案は、量子波を用いて、物質の性質を変化させる変性装置に関する。
【背景技術】
【０００２】
従来から、被照射対象物（変性させるべき物質、以下物質と言う）、たとえば樹脂製品や、植物、食品などに量子波を照射して、その性質を変性（植物の場合は成長の促進など）させることが行われている。本件考案者が提案した特許文献１では、量子波を食用油に照射することで、該食用油の酸化防止に用いている。量子としては、光子、電子、クウォーク、ニュートリノ等である。
【先行技術文献】
【特許文献】
【０００３】
【特許文献１】特許第５７２７１０４号公報
【考案の概要】
【考案が解決しようとする課題】
【０００４】
上述の特許文献１は、食用油に電極を浸漬し、その電極に、交流電源からの低周波の電圧をバイアスとして、それに外部電界から共振で取出した高周波の電圧を印加して、両者の負の成分を取出して与えることで、該電極から量子波を発生させている。したがって、微弱外部電界を用いているので、量産は難しいとともに、強力な量子波を発生させて、強力に変性させることが難しいという問題がある。
【０００５】
本考案の目的は、量子波を照射することで物質の変性を行うにあたって、簡単かつ効率的に変性を行なわせることができる物質の変性装置を提供することである。
【課題を解決するための手段】
【０００６】
本考案の物質の変性装置は、性質を変化させるべき物質のデジタル画像を取得する画像取得手段と、前記画像取得手段で取得されたデジタル画像を表示する液晶画面と、量子波を発生する量子波発生源と、前記液晶画面を載置し、前記量子波発生源で発生された量子波を前記液晶画面に照射する量子波放射体とを備え、前記液晶画面に照射された量子波が、量子テレポーテーション現象によって前記物質に作用することで、該物質を変性させることを特徴とする。
【０００７】
上記の構成によれば、性質を変化させるべき物質に量子波を照射してその性質を変性させるにあたって、量子波発生源が物質に直接に照射を行うのではなく、画像取得手段で取得されたその物質の撮像画像に照射を行う。特に本考案では、その画像は、印画紙などにプリントしたものではなく、スマートフォンなどの液晶画面に表示したデジタル画像とする。これは、印画紙の場合、照射した量子は殆ど蓄積および吸収されないのに対して、前記液晶画面の場合、前記量子のエネルギーが液晶の微粒子に共振のような現象を生じて、該液晶画面に量子を極めて効率的に発生させるためである。
【０００８】
そしてまた注目すべきは、本考案では、その発生した量子を、量子テレポーテーション現象（共振現象）を利用して、前記物質に照射する。これは、量子波は個体を認識しているように振る舞うと言う本件考案者の知見に基づき、前記撮像画像で特定された物質に、液晶画面に生じた量子波を、テレポーテーションさせるものである。本件考案者の実験によれば、量子波は、たとえば数百ｋｍの場所の被照射対象物（物質）を特定して、量子テレポーテーション現象によって、距離および時間に拘わりなく、瞬時に作用し、直接に照射した場合に近しい変性効果を発揮できるようになる。その液晶画面への量子波の照射のために、該液晶画面を搭載する量子波放射体と、その量子波放射体に量子波を与える量子波発生源とを設ける。
【０００９】
したがって、画像取得手段でデジタル写真を撮って液晶画面に表示させ、その液晶画面を量子波放射体に載せるだけと言う、極めて簡単に照射を行うことができるとともに、物質から離間した場所に設けられた専用で大掛かりな量子波発生源（発振器）で発生されたエネルギーの大きな量子波を物質に照射することで、多くの物質を纏めて、或いは強力に変性させることができる。
【００１０】
ここで、物質に水分が含まれている場合には、該物質を量子波放射体に載せて、直接量子波を照射しても変性させることが可能である。しかしながら、量子波放射体（たとえばテーブル）との大きさの関係や、液体の水の場合の取扱い（容器など）の困難さに比べて、写真への照射は、極めて容易である。その容易さから、前記物質として、前記水分を含まない樹脂製品等だけでなく、水分を含む食品、或いは、土、水、植物などのあらゆる物質を対象とすることができる。そして、たとえば、量子波を植物や動物（肉や魚）が浴びた時、組織を活性化し、成長を促進したり、鮮度が長く保持されるようになったりすることができる。また、食品の場合、劣化を抑えたりできるだけでなく、急速な熟成効果を期待するようなこともできる。たとえば、酒などで顕著である。さらに樹脂製品の場合、付近の生物を活性化したりすることができ、包装材などに有効に使用することができる。
【００１１】
また、本考案の物質の変性装置では、前記量子波発生源および量子波放射体は、相互に等しい材料から成る金属導体を含み、前記量子波発生源は、前記量子波放射体に対して、初期に接触または近傍に配置されることで、互いに意識を共有する同化現象を生じており、離間すると、前記量子テレポーテーション現象によって、該量子波放射体から量子波を発生させて、前記液晶画面への量子波の照射を実現させることを特徴とする。
【００１２】
上記の構成によれば、前述のように、液晶画面に量子波を照射することで、量子テレポーテーション現象（共振現象）によって、その液晶画面に表示された離れた場所の物質を変性することができるが、実際に液晶画面に量子波を照射する量子波放射体に量子波を与える量子波発生源が必要になるので、それらを相互に等しい材料、特に好ましくはアルミから成る金属導体で構成する。すると、本件考案者の実験によれば、量子波発生源と量子波放射体とを、一旦、接触または近傍に配置することで、互いに意識を共有する同化現象を生じ、その後に離間しても、量子テレポーテーション現象（共振現象）によって、量子波を供給できるようになる。これによって、量子波発生源から量子波放射体に供給された１次量子波に対して、液晶画面には２次量子波となって与えられ、物質には３次量子波となって与えられる。
【００１３】
したがって、実際に液晶画面に量子波を照射する量子波放射体は、小さく、簡易な構成で実現しても、量子波発生源は、任意の大きさに構成可能であり、強い量子波を発生させることができ、また複数の量子波放射体に対して、単一の量子波発生源から量子波を供給することができ、効率的でもある。
【００１４】
さらにまた、本考案の物質の変性装置では、前記量子波放射体は、金属導体から成り、前記量子波発生源は、前記量子波放射体に対して、５０〜６０Ｈｚ、３０００〜９０００Ｖの負の高電圧を与えることで、量子波を発生させることを特徴とする。
【００１５】
上記の構成によれば、本件考案者の実験から、金属導体、たとえばＳＵＳ、鉄、亜鉛、錫、好ましくはアルミニウムに、上記の高電圧を発生する電源を導線（銅またはアルミ線）で接続し、該高電圧を与えることで、量子波を効率的に発生させることができる。
【００１６】
また、本考案の物質の変性装置では、前記量子波放射体は、金属導体から成り、前記量子波発生源は、前記量子波放射体に対して、２〜２０００Ｈｚ、２４〜４８Ｖの負の低周波電位振動を与えることで、量子波を発生させることを特徴とする。
【００１７】
上記の構成によれば、本件考案者の実験から、金属導体に、低周波を発生する電源を導線（銅またはアルミ線）で接続し、該低周波を与えることで、量子波を効率的に発生させることができる。その周波数を変化することで、変性させるべき物質を選択することができる。
【００１８】
さらにまた、本考案の物質の変性装置では、前記画像取得手段は、スマートフォンのデジタルカメラであり、前記液晶画面は、該スマートフォンに備えられていることを特徴とする。
【００１９】
上記の構成によれば、量子波を液晶画面に表示された物質のデジタル画像に照射するにあたって、デジタル画像の取得をスマートフォンのデジタルカメラで、表示をスマートフォンの液晶画面で行うことで、スマートフォン１台で、極めて簡単かつ効率的に、物質の変性作業を行うことができる。
【考案の効果】
【００２０】
本考案の物質の変性装置は、以上のように、被照射対象物（物質）、たとえば樹脂製品や、植物、食品などに量子波を照射してその性質を変性させるにあたって、量子波発生源が物質に直接に照射を行うのではなく、量子波放射体に載せた液晶画面に表示され、物質を特定することができるその物質のデジタル画像を通して、量子テレポーテーション現象（共振現象）を利用して照射を行う。
【００２１】
それゆえ、画像取得手段でデジタル写真を撮って液晶画面に表示させ、その液晶画面を量子波放射体に載せるだけと言う、極めて簡単に照射を行うことができるとともに、物質から離間した場所に設けられた専用で大掛かりな量子波発生源（発振器）で発生されたエネルギーの大きな量子波を物質に照射することで、多くの物質を纏めて、或いは強力に変性させることができる。
【図面の簡単な説明】
【００２２】
【図１】本考案の実施の一形態に係る物質の変性装置の使用方法を説明するための模式図である。
【図２】量子波発生器の電気回路図である。
【考案を実施するための形態】
【００２３】
図１は、本考案の実施の一形態に係る物質の変性装置の使用方法を説明するための模式図である。本実施形態の変性装置は、大略的に、量子波発生源１と、量子波放射体２と、スマートフォン３とを備えて構成される。図１の例では、被照射対象物（変性させるべき物質、以下物質と言う）として、具体的に、樹脂製品としてプランター５３を示しており、植物として生花５２および野菜５４を示しており、動物として魚５５を示している（以下、総称する際は、参照符号５で示す）。
【００２４】
注目すべきは、本考案の変性装置は、物質５に量子波５０を照射して変性を行わせるにあたって、量子波発生源１が物質５に直接に照射を行うのではなく、物質５を特定することができる画像に量子波２０を照射することである。特に本考案では、その画像は、印画紙などにプリントしたものではなく、スマートフォン３などの液晶画面３２に表示したデジタル画像とする。これは、印画紙の場合、照射した量子２０は殆ど蓄積および吸収されないのに対して、液晶画面３２の場合、量子２０のエネルギーが液晶の微粒子に共振して該液晶画面３２に量子３０を極めて効率的に発生させるためである。以下、量子と量子波とを同じ参照符号で示す。さらに量子波２０，５０の伝搬には、量子テレポーテーション現象７，６を利用することを特徴としている。
【００２５】
前記のデジタル画像は、予め、スマートフォン３内蔵のデジタルカメラ３１によって撮影され、内部のメモリや外部のサーバなどに格納されるとともに、照射にあたって、液晶画面３２に読出されて表示されている。図１の例では、その表示画像（デジタル画像）は、スマートフォン３ａではプランター５３および生花５２であり、スマートフォン３ｂでは野菜５４であり、スマートフォン３ｃでは魚５５である。
【００２６】
以上は、量子波は個体を認識しているように振る舞うと言う本件考案者の知見に基づき、撮像画像（デジタル画像）で特定された物質に、液晶画面３２に生じた量子波３０を、テレポーテーションさせるものである。本件考案者の実験によれば、量子波は、たとえば数百ｋｍの場所の被照射対象物（物質）を特定して、量子テレポーテーション現象によって、距離および時間に拘わりなく、瞬時に作用し、直接に照射した場合に近しい変性効果を発揮できるようになる。その液晶画面３２への量子波２０の照射のために、該液晶画面３２を搭載する量子波放射体２と、その量子波放射体２に量子波２０を与える量子波発生源１とを設ける。
【００２７】
詳しくは、量子波発生源１は、量子波を放射する第１の放射体１１と、後述するようにして前記第１の放射体１１に量子波を発生させる量子波発生器１２と、その量子波発生器１２で発生された電圧を第１の放射体１１に与えることで量子波１０を発生させる導線１３とを備えて構成される。第１の放射体１１は、金属導体、たとえばＳＵＳ、鉄、亜鉛、錫、好ましくはアルミニウムから成る、たとえば平板である。導線１３は、絶縁被覆された銅またはアルミ線から成る。
【００２８】
量子波発生器１２は、金属導体の第１の放射体１１に予め定める周期の負の電圧を印加し、負の電位や電場を印加することで、該第１の放射体１１から量子波１０を発生させるものである。量子波発生器１２は、たとえば図２（ａ）で示す印加回路１２１や、図２（ｂ）で示す印加回路１２２で構成される。金属導体から成る第１の放射体１１は、架空に配置されてもよいけれども、発生する量子波１０のエネルギーをコントロールするために、たとえばＭΩ以上の高抵抗を介して接地されていてもよい。
【００２９】
図２（ａ）で示す印加回路１２１は、交流電源１２１１の一方の端子に接続されるダイオード１２１２および抵抗１２１３の直列回路と、他方の端子に接続されるダイオード１２１４および抵抗１２１５の直列回路とを備えて構成される。ダイオード１２１２，１２１４のカソードが交流電源１２１１に接続され、アノードが抵抗１２１３，１２１５の一端に接続される。これによって、抵抗１２１３，１２１５の他端から取出された負で半波の電圧が、導線１３を介して、金属導体の第１の放射体１１に印加される。交流電源１２１１は、単相２線の場合、１線は柱上変圧器内などで接地されており、この印加回路１２１は、２線の何れがホット側か不明な場合に、確実に負の電圧を取出すことができるようになっている。
【００３０】
また、印加回路１２２は、ダイオード１２２２〜１２２５から成るダイオードブリッジで構成される。交流電源１２２１の一方の端子にはダイオード１２２２のカソードおよびダイオード１２２４のアノードが接続され、他方の端子にはダイオード１２２３のカソードおよびダイオード１２２５のアノードが接続され、ダイオード１２２４，１２２５のカソードが接地される。これによって、ダイオード１２２２，１２２３のアノードから取出された負で全波の電圧が、導線１３を介して、金属導体の第１の放射体１１に印加される。
【００３１】
ここで、印加回路１２１，１２２は、交流電源１２１１，１２２１および素子の耐圧などを選択することで、本件考案者の実験によれば、第１の放射体１１に、以下の何れかの条件の電圧を与えることで、量子波を発生させることができる。第１には、５０〜６０Ｈｚ、３０００〜９０００Ｖの負の高電圧である。第２には、印加回路１２１，１２２は、２〜２０００Ｈｚ、２４〜４８Ｖの負の低周波の電圧である。これによって、量子波１０を効率的に発生させることができる。なお、交流電源１２１１，１２２１が作成する電圧は、回路が簡単で済む正弦波に限らず、三角波、矩形波或いはパルス波などであってもよい。
【００３２】
このように金属導体の第１の放射体１１に周期的な負の電圧を印加することで、図１において参照符号１０で示すように、光子、電子、クウォーク、ニュートリノ等、１７種の量子の内の何れかが発生する（中でも、クウォークが発生し易く（多く発生し）、ニュートリノは発生の可能性が考えられる）。そして、その量子波１０は、量子テレポーテーション現象（共振現象）７によって、離間した場所に設置される量子波放射体２にも発生し、前記量子波２０となる。
【００３３】
第２の放射体である量子波放射体２も、前記第１の放射体１１と同様に、金属導体、たとえばＳＵＳ、鉄、亜鉛、錫、好ましくはアルミニウムから成る、たとえば平板である。そして、本件考案者の実験によれば、量子波放射体２が第１の放射体１１と同種の金属材料、特に好ましくはアルミから成り、初期に接触または近傍に配置された状態で、第１の放射体１１に量子波発生器１２からの前記高電圧または低周波によって量子波１０を発生させることで、量子波放射体２に、第１の放射体１１と互いに意識を共有する同化現象を生じさせることができる。これによって、後に離間しても、上述のように、量子テレポーテーション現象（共振現象）７によって、該量子波放射体２に、量子２０を発生させることができる。
【００３４】
この量子２０が、量子波放射体２上に載置されたスマートフォン３の液晶画面３２に照射されると、液晶の微粒子、主に原子核と共振し、該液晶画面３２に、多くの量子３０が発生することになる。ここで、液晶画面３２は、量子波放射体２に近接させる方が、量子２０による作用は大きい。そのため、スマートフォン３は、液晶画面３２が量子波放射体２に密着するように、裏向きに載置されることが好ましいが、図１では、理解し易くするために、表向きに載置した状態で示している。
【００３５】
そして、量子３０と液晶画面３２の表示画像（デジタル画像）とが同化すると、量子３０は、本件考案者の実験結果によれば、あたかも個体を認識しているように振る舞い、表示画像の物質５を、距離および時間に拘わり無く、たとえば数百ｋｍ離れた場所に居ても特定して、量子テレポーテーション現象（共振現象）６によって、瞬時に作用し、直接に照射した場合に近しい変性効果を発揮できるようになる。
【００３６】
図１は、液晶画面３２に量子波２０を照射すると、それで発生した量子波３０が、前記量子テレポーテーション現象（共振現象）６によって、物質５に量子波５０として作用していることを、概念的に示している。量子波５０による変性のメカニズムとしては、量子波５０を、たとえば植物（５２，５４）や生物（５５）が浴びた時、組織を活性化し、具体的には原子の電子配列が影響を受け（素材原子の外殻電子軌道に変動を生じさせ、それによる陽子の振動によって量子波を発生させ）、たとえば野菜５４や魚５５では鮮度が維持されたり（傷み難くなる）、生花５２の場合では、花持ちが長くなることは勿論、萎れかかっていた生花５２が持ち直したりする等である。また、樹脂製品（５３）の例では、紫外線曝露に対する劣化が遅くなったり等である。特に、樹脂製品（５３）を活性化すると、それに近接する生物も活性化し、プランター５３を活性化すると、生花５２の成長が早くなる。さらに、交流の周期に応じて、対象とする効果を、異ならせることもできる。
【００３７】
このように構成することで、物質５に量子波５０を照射して変性を行わせるにあたって、量子波発生源１が物質５に直接に照射を行うのではなく、該物質５を特定することができるデジタル画像を表示する液晶画面３２に対して量子波２０を照射するので、物質５付近に大掛かりな照射器を設置する必要はなく、或いは物質５を持ち込んだりする手間を省き、極めて容易に照射を行なうことができるとともに、物質５から離間した場所に設けられた専用で大掛かりな量子波発生源（発振器）１で発生されたエネルギーの大きな量子波１０，２０をデジタル画像に照射することで、物質５の大きな変性効果を得ることができる。
【００３８】
また、本実施形態では、前述のように、液晶画面３２に量子波２０を照射することで、量子テレポーテーション現象（共振現象）６によって、離れた場所の物質５を変性させることができるが、実際に液晶画面３２に量子波２０を照射する量子波放射体２に量子波２０を与える量子波発生源として、離間した場所に設置される量子波発生源１を用い、量子テレポーテーション現象（共振現象）７によって１次量子波２０を供給し、物質５には、さらに液晶で発生された２次量子波３０から量子テレポーテーション現象（共振現象）６によって得られた３次量子波５０を与える。このように構成することで、実際に液晶画面３２に量子波２０を照射する量子波放射体２は、小さく、簡易な構成で実現しても、量子波発生源１は、任意の大きさに構成可能であり、強い量子波１０，７を発生させることができ、また複数の量子波放射体２に対して、単一の量子波発生源１から量子波１０，７を供給することができ、効率的でもある。
【００３９】
また、量子波放射体２に、低周波振動を与えることが好ましい。図１の例では、量子波放射体２の下部には起震装置４が設けられており、揺動アーム４１によって、量子波放射体２を矢符４２方向に、低周波、好ましくは、５〜６Ｈｚ程度で振動させる。これによって、液晶画面３２は、量子２０を蓄積している量子波放射体２との同化が促進され、短時間で、より大きな量子波６，５０を、物質５に届けることができる。
【００４０】
ここで、上述の実施形態では、第１の放射体１１から量子波放射体２へ、量子テレポーテーション現象（共振現象）７によって量子１０が伝搬されるが、そのような伝搬に同種の金属板である第１の放射体１１および量子波放射体２を用いるのではなく、量子波放射体２は、液晶画面３２への量子波２０の照射専用として、量子波１０の伝搬は、アンテナ１６，２６を用いるようにしてもよい。
【００４１】
詳しくは、量子波発生器１２を導線１７によってアンテナ１６に接続し、このアンテナ１６で発生した量子波１０を、量子テレポーテーション現象（共振現象）９によってアンテナ２６で受信し、得られた量子２０を導線２７を介して量子波放射体２に与えるというものである。アンテナ１６，２６は、同種の金属材料、好ましくはアルミで、六角筒の相似形に形成される（送信側のアンテナ１６が相対的に大きく、受診側のアンテナ２６が小さく形成されることが多いが、同じ大きさであってもよい）。このように量子テレポーテーション現象９にアンテナ１６，２６を用いることで、伝搬する量子波１０のエネルギーを大きくすることができ、好適である。
【符号の説明】
【００４２】
１    量子波発生源
１０，２０，３０，５０    量子（量子波）
１１    第１の放射体
１２    量子波発生器
１２１，１２２    印加回路
１３    導線
１５    量子
１６    アンテナ
１７    導線
２    量子波放射体
２６    アンテナ
２７    導線
３；３ａ，３ｂ，３ｃ    スマートフォン
３１    デジタルカメラ
３２    液晶画面
４    起震装置
４１    揺動アーム
５２    生花
５３    プランター
５４    野菜
５５    魚
６，７，９    量子テレポーテーション現象
【図１】
0003205199.tif 000003
【図２】
0003205199.tif 000004